(57)【特許請求の範囲】
【請求項１】
卓球競技用のネットと、該ネットの芯として用いるひもが固定されてネット張設がなされるサポートとからなる卓球競技用ネットセットであって、該ネットには、その芯として用いるひもの一端側または両端側に、ネット張設状態の点検に用いることのできる、ひも長手方向上位置を示すためのひも上表示が設けられ、該サポートには、ネット張設状態の点検に用いることのできる、点検基準部位が備えられており、該ひも上表示と該点検基準部位との相対的な位置関係により、該ネット張設状態の点検をなし得ることを特徴とする、卓球競技用ネットセット。
【請求項２】
前記ネット張設状態の点検は、所定荷重を所定方法によりネット上の所定位置に掛けた場合に、所定位置におけるネットの下がりの程度を点検するものであることを特徴とする、請求項１に記載の卓球競技用ネットセット。
【請求項３】
前記ひも上表示は、反対側のひも端部上におけるネット張設のための基準位置を基準として設けられていることを特徴とする、請求項１または２に記載の卓球競技用ネットセット。
【請求項４】
前記ひも上表示は、ひも上に設けられた、一または複数の視覚的な表示であることを特徴とする、請求項１ないし３のいずれかに記載の卓球競技用ネットセット。
【請求項５】
前記視覚的な表示は、ひも上の長手方向位置を二または三以上の領域に区画する標線または領域で表される表示であることを特徴とする、請求項４に記載の卓球競技用ネットセット。
【請求項６】
前記サポートのポール最上部に設けられる、前記ひもを架けるためのサポートアダプタは、前記ひも上表示と前記点検基準部位との相対的位置関係を見てネット張設の調整ができるよう、該ひもの滑りのよい潤滑性材料により形成されていることを特徴とする、請求項１ないし５のいずれかに記載の卓球競技用ネットセット。
【請求項７】
前記サポートには、架けられた前記ひもを巻き取って固定することのできる巻き取り装置が設けられていることを特徴とする、請求項１ないし６のいずれかに記載の卓球競技用ネットセット。
【請求項８】
卓球競技用のネットであって、該ネットには、その芯として用いるひもの一端側または両端側に、ネット張設状態の点検に用いることのできる、ひも長手方向上位置を示すためのひも上表示が設けられ、該ひも上表示を、ネット張設用のサポート上の適宜に選択される特定の点検基準部位と相対的に位置関係比較することにより、該ネット張設状態の点検をなし得ることを特徴とする、卓球競技用ネット。
【請求項９】
前記ひも上表示は、反対側のひも端部上におけるネット張設のための基準位置を基準として設けられていることを特徴とする、請求項８に記載の卓球競技用ネット。
【請求項１０】
前記ひも上表示は、ひも上に設けられた、一または複数の視覚的な表示であることを特徴とする、請求項８または９に記載の卓球競技用ネット。
【請求項１１】
前記視覚的な表示は、ひも上の長手方向位置を二または三以上の領域に区画する標線または領域で表される表示であることを特徴とする、請求項１０に記載の卓球競技用ネット。
【請求項１２】
前記視覚的な表示は、ひも上の長手方向位置を二または三以上の領域に区画する、色分けされた領域で表される表示であることを特徴とする、請求項１０に記載の卓球競技用ネット。
【発明の詳細な説明】
【技術分野】
【０００１】
本発明は卓球競技用ネットセットおよび卓球競技用ネットに係り、特に、卓球競技用ネットの張設状態の客観的な点検と規則通りの正確な張設作業に便利な、卓球競技用ネットセットおよび卓球競技用ネットに関する。
【背景技術】
【０００２】
国際大会か国内大会かに関わらず、正規の卓球競技会においては、卓球競技に使用する卓球台上に張設されるネットの状態に一定の規定がある。すなわち、ネットの高さとその張りの強さであるが、これらは競技の勝敗に大きく影響するものであるため、その仕様が厳密に定められている。現在のルールでは、ネットの高さは１５．２５ｃｍ、その張りの強さは、ネット中央に１００ｇの錘を乗せることによって生じるネットの下がりが１ｃｍ以内であること、とされている。したがって競技に先だっては、ネットの張設が規定通りか否かの判定を、ネットの高さおよび張りの強さによって点検することが、ルール上必要である。
【０００３】
ネットの高さが規定通りで適正である場合は、競技においてボールがネットに触れずにネット上方を移動する場合、ボールがネットに至らないうちに卓球台上や台外に落ちた場合、またはボールがネットに完全に引っかかってしまった場合は、ネットの張りがプレイ判定上の問題になることはない。しかし、ボールがネットの上端部に触れた場合には、ネットの張りの強さが重要な問題となる。すなわち、一般にネットの張りが緩い場合は、打たれてネット上端部に触れたボールは相手コートに入りやすく、判定はセーフとなりやすい傾向がある。逆にネット張りがきつい場合は、打たれてネット上端部に触れたボールは相手コートに入りにくく、判定はアウトになりやすい。
【０００４】
競技者個々の技術的特徴、身体的特徴、癖などによって、ネットの影響はさまざまな形で現れると考えられる。したがって、ネットの張り加減如何によって競技中のプレイの判定、ひいては勝敗に影響が生じ得る。これは、競技進行の適正、競技者間における公平の確保を図る上では望ましいことではない。しかし、ネット張設状態の点検を担当する審判の「勘」や経験に頼って点検がなされているのが現状である。
【０００５】
本願発明者はかかる従来技術の問題解決策として、先に、卓球競技用ネット張設状態点検器を発明し、これを開示した（特許文献１）。これにより、それまで審判の主観に頼っていたネット張設状態の点検を、客観的に行うことができるようになった。
【０００６】
【特許文献１】特許第３４７３８５１号。
【発明の開示】
【発明が解決しようとする課題】
【０００７】
さて、ネット張設状態の点検を、特別の用具を用いることなく行えれば、さらにまた点検作業と同時にネット張設・調節作業が行えれば、さらに便利である。
【０００８】
本発明が解決しようとする課題は、かかる従来技術の状況を踏まえ、卓球競技用ネットの張設状態の客観的な点検と規則通りの正確な張設作業に便利な、卓球競技用ネットセットおよび卓球競技用ネットを提供することである。
【課題を解決するための手段】
【０００９】
本願発明者は上記課題について検討した結果、ネットの芯であるひもにネット調節状態点検用の構成を設けることによって上記課題の解決が可能であることを見出し、本発明に至った。すなわち、上記課題を解決するための手段として本願で特許請求される、または少なくとも開示される発明は、以下のとおりである。
【００１０】
（１）  卓球競技用のネットと、該ネットの芯として用いるひもが固定されてネット張設がなされるサポートとからなる卓球競技用ネットセットであって、該ネットには、その芯として用いるひもの一端側または両端側に、ネット張設状態の点検に用いることのできる、ひも長手方向上位置を示すためのひも上表示が設けられ、該サポートには、ネット張設状態の点検に用いることのできる、点検基準部位が備えられており、該ひも上表示と該点検基準部位との相対的な位置関係により、該ネット張設状態の点検をなし得ることを特徴とする、卓球競技用ネットセット。
（２）  前記ネット張設状態の点検は、所定荷重を所定方法によりネット上の所定位置に掛けた場合に、所定位置におけるネットの下がりの程度を点検するものであることを特徴とする、（１）に記載の卓球競技用ネットセット。
（３）  前記ひも上表示は、反対側のひも端部上におけるネット張設のための基準位置を基準として設けられていることを特徴とする、（１）または（２）に記載の卓球競技用ネットセット。
【００１１】
（４）  前記ひも上表示は、ひも上に設けられた、一または複数の視覚的な表示であることを特徴とする、（１）ないし（３）のいずれかに記載の卓球競技用ネットセット。
（５）  前記視覚的な表示は、ひも上の長手方向位置を二または三以上の領域に区画する標線または領域で表される表示であることを特徴とする、（４）に記載の卓球競技用ネットセット。
（６）  前記視覚的な表示は、ひも上の長手方向位置を二または三以上の領域に区画する、色分けされた領域で表される表示であることを特徴とする、（４）に記載の卓球競技用ネットセット。
【００１２】
（７）  前記ひも状表示は複数あり、ネット中央における下がりが１ｃｍ以下である場合に、そのことを示すために、前記点検基準部位の位置またはこれを下方に超えた位置にくるように該複数のひも上表示のうちの一つが形成されていることを特徴とする、（１）ないし（６）のいずれかに記載の卓球競技用ネットセット。
（８） ネット中央における下がりが０ｃｍである場合に、そのことを示すために、前記点検基準部位の位置またはこれを下方に超えた位置にくるように前記複数のひも上表示のうちの他の一つが形成されていることを特徴とする、（７）に記載の卓球競技用ネットセット。
【００１３】
（９）  前記サポートのポール最上部に設けられる、前記ひもを架けるためのサポートアダプタは、前記ひも上表示と前記点検基準部位との相対的位置関係を見てネット張設の調整ができるよう、該ひもの滑りのよい潤滑性材料により形成されていることを特徴とする、（１）ないし（８）のいずれかに記載の卓球競技用ネットセット。
（１０）  前記サポートには、架けられた前記ひもを巻き取って固定することのできる巻き取り装置が設けられていることを特徴とする、（１）ないし（９）のいずれかに記載の卓球競技用ネットセット。
【００１４】
（１１）  卓球競技用のネットであって、該ネットには、その芯として用いるひもの一端側または両端側に、ネット張設状態の点検に用いることのできる、ひも長手方向上位置を示すためのひも上表示が設けられ、該ひも上表示を、ネット張設用のサポート上の適宜に選択される特定の点検基準部位と相対的に位置関係比較することにより、該ネット張設状態の点検をなし得ることを特徴とする、卓球競技用ネット。
（１２）  前記ひも上表示は、反対側のひも端部上におけるネット張設のための基準位置を基準として設けられていることを特徴とする、（１１）に記載の卓球競技用ネット。
（１３）  前記ひも上表示は、ひも上に設けられた、一または複数の視覚的な表示であることを特徴とする、（１１）または（１２）に記載の卓球競技用ネット。
（１４）  前記視覚的な表示は、ひも上の長手方向位置を二または三以上の領域に区画する標線または領域で表される表示であることを特徴とする、（１３）に記載の卓球競技用ネット。
（１５）  前記視覚的な表示は、ひも上の長手方向位置を二または三以上の領域に区画する、色分けされた領域で表される表示であることを特徴とする、（１３）に記載の卓球競技用ネット。
【００１５】
（１６）  前記ひも状表示は複数あり、ネット中央における下がりが１ｃｍ以下である場合に、そのことを示すために、前記点検基準部位の位置またはこれを下方に超えた位置にくるように該複数のひも上表示のうちの一つが形成されていることを特徴とする、（１１）ないし（１５）のいずれかに記載の卓球競技用ネット。
（１７）  ネット中央における下がりが０ｃｍである場合に、そのことを示すために、前記点検基準部位の位置またはこれを下方に超えた位置にくるように前記複数のひも上表示のうちの他の一つが形成されていることを特徴とする、（１６）に記載の卓球競技用ネット。
【発明の効果】
【００１６】
本発明の卓球競技用ネットセットおよび卓球競技用ネットは上述のように構成されるため、これによれば、卓球競技用ネットの張設状態の客観的な点検を行うことができ、また、規則通りの正確な張設作業を行うことができる。
【発明を実施するための最良の形態】
【００１７】
以下、本発明を図面により詳細に説明する。なお、以下の図では、説明の便宜のために、ネット高さや幅その他をデフォルメしたり、説明に必要な部分以外の部分を適宜省略している場合がある。
【００１８】
図１、図１−Ａ、および図１−Ｂは、本発明の卓球競技用ネットセットの構成を示す説明図である。図１−Ａ、１−Ｂはそれぞれ、図１中のＡ部、Ｂ部の拡大図である。これらの図において本卓球競技用ネットセット１０は、卓球競技用のネット１と、該ネット１の芯として用いるひも２が固定されてネット張設がなされるサポート３とからなり、該ネット１には、その芯として用いるひも２の一端側または両端側に、ネット張設状態の点検に用いることのできる、ひも長手方向上位置を示すためのひも上表示４が設けられ、該サポート３には、ネット張設状態の点検に用いることのできる、点検基準部位５が備えられていることを、主たる構成とする（上記（１）の発明）。通常ネットのひもは、一方端部を一方のサポートにまず固定し、他方端部をもってネットを張り、他方のサポート側に固定する。したがって、本発明のひも上表示は、かかる後者の用をなす側に、つまり一方に設けられれば充分ではあるが、両端に備えられた構成も、排除されない。
【００１９】
かかる構成により本卓球競技用ネットセット１０は、該ひも２の一端側または両端側に設けられた該ひも上表示４と、該サポート３に備えられた該点検基準部位５との相対的な位置関係により、該ネット張設状態の点検がなされ得る。つまり、該ひも上表示４が、該点検基準部位５に到達するか、あるいはそれを超えるように、該ひも２を張り方向に引っ張ることで、要求されるネット１の張りが得られるように、該ひも上表示４と該点検基準部位５の相互位置関係を予め設定しておく。それにより、該ひも２を、該ひも上表示４が該点検基準部位５の位置と同じか、あるいはそれを超えるように引っ張り、固定することで、要求されるネット１の張設が得られる。
【００２０】
ここで「張り方向」とは、該ネット１を張るために該ひも２を引っ張る方向であり、これには当然、該サポート３のアダプタを介してポールに沿って下方へ向かう方向が含まれる。
【００２１】
また、該ひも上表示４が設けられる位置は、該点検基準部位５との関係でこの表示を認識することができる位置であれば、特に限定されない。該サポート３のポールの最上部に設けられるアダプタ上、またはその近接箇所に該点検基準部位５が設定され、それに合わせた張設状態点検が充分に可能な位置を、該ひも上表示４の位置として設定することができる。あるいはまた、ポール上のいずこか、もしくは該サポート３の他の場所に該点検基準部位５が設定され、これに合うように該ひも上表示４が設定されている構成とすることもできる。
【００２２】
図においては、該ひも上表示４は、それぞれを識別可能な区画された領域として表されているが、後述するようにこれは一例であり、本発明は、かかる具体的なひも上表示の形態により限定されるものではない。
【００２３】
同様に、該点検基準部位５はポール上に形成された標線として表されているが、これは一例であり、本発明は、かかる具体的な点検基準部位の形態により限定されるものではない。特別な標線その他の表示によらずに、ポール中に、あるいはそれの含まれるサポート３全体の中に本来備わっている構造を、そのまま点検基準部位として用いることも、もちろん可能である。たとえば、アダプタ付近について例を挙げれば、ポール最上部のアダプタの一角部、アダプタの下端などを、そのまま該点検基準部位として用いることができる。
【００２４】
これらの図に示した本発明卓球競技用ネットセット１０では、前記ネット１の張設状態の点検は、所定荷重を所定方法によりネット上の所定位置に掛けた場合に、所定位置におけるネット１の下がりの程度が点検される（上記（２）の発明）。具体的に現在のルールでは、上述したように、ネットの高さは１５．２５ｃｍ、その張りの強さは、ネット中央に１００ｇの錘を乗せることによって生じるネットの下がりが１ｃｍ以内であることが世界共通のルールとして定められている。本発明は、点検方法・試験方法の如何に関わらず、ネットの張り具合を、その芯であるひもの「張り方向」上の位置あるいは座標によって評価することを、特徴としているといえる。
【００２５】
前記ひも上表示４は、反対側のひも端部上におけるネット張設のための基準位置を設け、これを基準として設けることができる（上記（３）の発明）。これにより、該基準位置を統一すれば、これを基準点として、該ひも上表示４と該点検基準部位５によるネット張設点検を、より正確に行うことができる。
【００２６】
前記ひも上表示４は、ひも２上に設けられた、一または複数の視覚的な表示とすることができる（上記（４）の発明）。該ひも上表示は、たとえば手で触れた感触により識別し得る触覚的な表示とすることも可能ではあるが、視覚的な表示とすることが、通常は、最も簡便かつ効果的であるといえる。
【００２７】
図２（ａ）は、本発明に係るひも上表示の構成を示す説明図である。図において本ひも上表示２４ａは、ひも２２上の長手方向位置を二または三以上の領域に区画する標線または領域で表される表示とすることができる（上記（５）の発明）。
【００２８】
図２（ｂ）に示すように、本発明に係るひも上表示２４ｂは、目盛りまたは目盛り様の表示とすることもできる。
【００２９】
図３は、本発明に係るひも上表示の別の構成を示す説明図である。図において本ひも上表示３４は、ひも３２上の長手方向位置を二または三以上の領域に区画する、色分けされた領域で表される表示とすることができる（上記（６）の発明）。
【００３０】
図４は、本発明卓球競技用ネットセットの構成例を示す説明図である。図において本卓球競技用ネットセット４１０は、前記ひも状表示が複数あり、ネット中央における下がりが１ｃｍ以下である場合に、そのことを示すために、前記点検基準部位４５の位置またはこれを下方に超えた位置にくるように前記ひも上表示４４ａが形成された構成とすることができる（上記（７）の発明）。これにより、該ひも上表示４４ａを該点検基準部位４５の位置またはこれを下方に超えた位置にくるように該ひも４２を引っ張り、固定することで、ネット中央における下がりを１ｃｍ以下にしたネット張設を行うことができる。
【００３１】
図において、本卓球競技用ネットセットはさらに、ネット中央における下がりが０ｃｍである場合に、そのことを示すために、前記点検基準部位４５の位置またはこれを下方に超えた位置にくるように前記ひも上表示４４ｂが形成された構成とすることができる（上記（８）の発明）。これにより、該ひも上表示４４ｂを該点検基準部位４５の位置またはこれを下方に超えた位置にくるように該ひも４２を引っ張り、固定することで、ネット中央における下がりを０ｃｍにしたネット張設を行うことができる。
【００３２】
したがって、該点検基準部位４５の位置が該ひも上表示４４ａと該ひも上表示４４ｂの中間領域内となるように該ひも４２を引っ張り、固定することで、ネット中央における下がりを０〜１ｃｍにしたネット張設を行うことができる。
【００３３】
図５は、本発明卓球競技用ネットセットのサポートの構成例を示す説明図である。図において本卓球競技用ネットセットは、そのサポート５３のポール５３１最上部に設けられる、前記ひも５２を架けるためのサポートアダプタ５３２は、前記ひも上表示５４と前記点検基準部位５５との相対的位置関係を見てネット張設の調整ができるよう、該ひも５２の滑りのよい潤滑性材料により形成されていることを、主たる構成とする（上記（９）の発明）。図中、右上に示す円形の図は、該サポートアダプタ５３２の上面図である。
【００３４】
かかる構成により、該サポートアダプタ５３２上での該ひも５２の摺動は低摩擦状態で円滑になされるため、該ひも上表示５４と該点検基準部位５５による張設状態の点検とそれに基づく位置調整のための張りを円滑に行うことができる。
【００３５】
図において本卓球競技用ネットセットは、前記サポート５３に、架けられた前記ひも５２を巻き取って固定することのできる巻き取り装置５３８が設けられた構成とすることができる（上記（１０）の発明）。図では巻き取り装置５３８の詳細構成は記載していないが、該ひも５２の巻き取りのための該ひも５２端部の少なくとも一時的な固定、該ひも５２の巻き取り（正回転）、ネットの張りを確定するための該ひも５２の確実な固定、ネット取り外しのための緩め（逆回転）が支障なくできる構造であれば、公知のあらゆる構造をこれに適用することができる。
【００３６】
従来の卓球競技ネット張設用のサポートにはかかる巻き取り装置は設けられておらず、ひもの先端部をサポート底部のかぎ型部材に引っ掛ける等してひもの固定を行っていたため、ネット張設、点検および調整には相当の労力が必要であったが、本発明のように巻き取り装置を備えることにより、ひも固定作業、ネット張設、点検および調整作業は容易化でき、作業労力軽減、効率化できる。
【００３７】
以上、本発明の卓球競技用ネットセットについて説明したが、本セットのうちネットを単独で発明として扱うことができる（上記（１１）ないし（１７）の発明）。一方、本セットのうちサポートを単独で発明として扱うこともできる。
【実施例】
【００３８】
以下、本発明の卓球競技用ネットセットの実施例について説明するが、本発明がかかる実施例およびそれに均等な範囲に限定されるものではなく、記載されないすべての実施例およびそれに均等な範囲について、本願出願人はこれを、本願発明に含まれるものと認識する。
【００３９】
図６は、本発明実施例の要部概略構成を示す説明図である。つまり、本発明に係る卓球協議用ネットのひもの概略構成を示す図である。図のようにひも６２上の一端側に、区画された領域からなるひも上表示６４Ｂ、６４Ｙ、６４Ｒが形成された構成とする。それぞれのひも上表示は、ネット中央に１００ｇの錘を乗せることによって生じるネットの下がりがない場合は、ひも上表示６４Ｂの領域内にサポート上の点検基準部位があり、ネットの下がりが１ｃｍ以内である場合は、ひも上表示６４Ｙの領域内にサポート上の点検基準部位があり、ネットの下がりが１ｃｍを超える場合は、ひも上表示６４Ｒの領域内にサポート上の点検基準部位があるように、構成する。ここで、ひも上表示６４Ｂ、６４Ｙ、６４Ｒはそれぞれ、ネットの下がり０、下がり１ｃｍ以内、下がり１ｃｍ超、を示し、前二者であればネットの張設状態は良好であることを示す。
【００４０】
図７（ａ）、（ｂ）および（ｃ）は、図６のネットの使用例について、その要部概略構成を示す説明図である。つまり、本発明に係る卓球協議用ネットのひもの概略構成をもって示す図である。各図は、ネットの下がりを強調したり、サポートアダプタの溝に納まるべきひもをそこから離れた位置に描いてわかりやすくするなど、説明の便宜のためにデフォルメされている。
【００４１】
図７（ａ）はネットの下がりがない状態で張設されており、このときはひも上表示６４Ｂの領域に、点検基準部位たるポールのアダプタの外側端部が存在している。つまり、ネットの張設状態は良好である。
【００４２】
図７（ｂ）はネットの下がりが１ｃｍ以内の状態で張設されており、このときはひも上表示６４Ｙの領域に、点検基準部位たるポールのアダプタの外側端部が存在している。つまり、ネットの張設状態は良好である。
【００４３】
図７（ｃ）はネットの下がりが１ｃｍ超の状態で張設されており、このときはひも上表示６４Ｒの領域に、点検基準部位たるポールのアダプタの外側端部が存在している。つまり、ネットの張設状態は不適当である。この場合は、前述の巻き取り装置を用いてひも６２をより巻き取って張り、ひも上表示６４Ｙまたは６４Ｂの領域に、点検基準部位たるポールのアダプタの外側端部がくるように調節して、固定すればよい。
【００４４】
本実施例では、ひも上表示６４Ｂ、６４Ｙ、６、６４Ｙ、６４Ｒはそれぞれ、青、黄、赤色の領域とすることができる。つまり、これは一例であるが、このように点検・調節の際の判断に便利な色彩を、適宜使用することができる。
【産業上の利用可能性】
【００４５】
本発明の卓球競技用ネットセットおよび卓球競技用ネットは上述のように構成されているため、これによれば、卓球競技用ネットの張設状態の客観的な点検を行うことができ、また、規則通りの正確な張設作業を行うことができ、関連する産業分野において利用価値が高い。
【図面の簡単な説明】
【００４６】
【図１】本発明の卓球競技用ネットセットの構成を示す説明図である。
【図１−Ａ】図１中のＡ部の拡大図である。
【図１−Ｂ】図１中のＢ部の拡大図である。
【図２（ａ）】本発明に係るひも上表示の構成を示す説明図である。
【図２（ｂ）】本発明に係るひも上表示の構成を示す説明図である。
【図３】本発明に係るひも上表示の別の構成を示す説明図である。
【図４】本発明卓球競技用ネットセットの構成例を示す説明図である。
【図５】本発明卓球競技用ネットセットのサポートの構成例を示す説明図である。
【００４７】
【図６】本発明実施例の要部概略構成を示す説明図である。
【図７（ａ）】図６のネットの使用例について、その要部概略構成を示す説明図である。
【図７（ｂ）】図６のネットの使用例について、その要部概略構成を示す説明図である。
【図７（ｃ）】図６のネットの使用例について、その要部概略構成を示す説明図である。
【符号の説明】
【００４８】
１・・・ネット
２、２２、３２、４２、５２・・・ひも
３、５３・・・サポート
４、２４ａ、２４ｂ、３４、４４ａ、４４ｂ、５４・・・ひも上表示
５、４５、５５・・・点検基準部位
５３１・・・ポール
５３２・・・サポートアダプタ
５３８・・・巻取り装置
６２・・・ひも
６４Ｂ、６４Ｙ、６４Ｒ・・・ひも上表示
１０、４１０・・・卓球競技用ネットセット
【要約】
【課題】  卓球競技用ネットの張設状態の客観的な点検と規則通りの正確な張設作業に便利な、卓球競技用ネットセットを提供すること。
【解決手段】  卓球競技用ネットセット１０は、卓球競技用のネット１と、ネット１の芯として用いるひも２が固定されてネット張設がなされるサポート３とからなり、ネット１には、その芯として用いるひも２の一端側または両端側に、ネット張設状態の点検に用いることのできるひも長手方向上位置を示すためのひも上表示（Ａ部分）が設けられ、サポート３には、ネット張設状態の点検に用いることのできる、点検基準部位（Ｂ部分）が備えられた構成とする。
【選択図】  図１
【図１】
0003592325.tif 000002
【図１−Ａ】
0003592325.tif 000003
【図１−Ｂ】
0003592325.tif 000004
【図２（ａ）】
0003592325.tif 000005
【図２（ｂ）】
0003592325.tif 000006
【図４】
0003592325.tif 000007
【図５】
0003592325.tif 000008
【図６】
0003592325.tif 000009
【図７（ａ）】
0003592325.tif 000010
【図７（ｂ）】
0003592325.tif 000011
【図７（ｃ）】
0003592325.tif 000012
【図３】
0003592325.tif 000013